【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
ユーザ端末装置、制御部と記憶部とを少なくとも備えたサーバ装置、および、入力部と出力部と制御部を備えた閲覧端末装置、を通信可能に接続した探索情報提供システムであって、
上記サーバ装置の上記記憶部は、
交通網を規定するネットワークデータに基づいて算出した、上記ユーザ端末装置から送信された経路探索条件を満たす、目的地または経由地を含む各地点に関連付けた経路探索結果を記憶する経路探索情報記憶手段、
を備え、
上記閲覧端末装置の上記制御部は、
上記入力部を介して、上記経路探索結果の上記目的地または上記経由地である上記地点に関する地点情報を含む分析要求を利用者に入力させる分析要求入力手段と、
上記分析要求入力手段により入力された上記分析要求を上記サーバ装置に送信する分析要求送信手段と、
上記分析要求に基づいて生成された探索情報を上記サーバ装置から受信する探索情報受信手段と、
上記探索情報受信手段により受信された上記探索情報を上記出力部を介して出力させる探索情報出力手段と、
を備え、
上記サーバ装置の上記制御部は、
上記閲覧端末装置から送信される上記分析要求を受信する分析要求受信手段と、
上記分析要求受信手段により受信された上記分析要求に基づいて、上記地点情報の上記地点に到達する上記経路探索結果を上記経路探索情報記憶手段から抽出することにより、上記探索情報を生成する探索情報生成手段と、
上記探索情報生成手段により生成された上記探索情報を、上記閲覧端末装置に送信する探索情報送信手段と、
を備えたことを特徴とする探索情報提供システム。
【請求項２】
請求項１に記載の探索情報提供システムにおいて、
上記経路探索情報記憶手段は、
上記経路探索条件を送信した上記ユーザ端末装置の利用者に関するユーザ識別情報を、上記経路探索結果に対応付けて記憶すること、を特徴とする探索情報提供システム。
【請求項３】
請求項２に記載の探索情報提供システムにおいて、
上記探索情報生成手段は、
上記分析要求受信手段により受信された上記分析要求に基づいて、上記地点情報の上記地点に到達する上記経路探索結果を上記ユーザ識別情報とともに上記経路探索情報記憶手段から抽出して上記探索情報を生成し、
上記探索情報出力手段は、
上記探索情報受信手段により受信された上記探索情報を、上記ユーザ識別情報に対応付けて出力させること、を特徴とする探索情報提供システム。
【請求項４】
請求項１または２に記載の探索情報提供システムにおいて、
上記サーバ装置の上記記憶部は、
複数の地点を記憶する閲覧者データベース、
を更に備え、
上記分析要求入力手段は、
上記サーバ装置から送信される、上記閲覧者データベースに記憶された上記複数の上記地点を受信し、上記入力部を介して上記地点を選択させるよう制御することにより上記地点情報を取得すること、を特徴とする探索情報提供システム。
【請求項５】
請求項１から４のいずれか一つに記載の探索情報提供システムにおいて、
上記経路探索情報記憶手段は、
移動手段に関する移動手段情報を含む上記経路探索結果を記憶し、
上記探索情報生成手段は、
上記地点情報の上記地点に到達する上記経路探索結果を同一の上記移動手段ごとに累計した回数を、リスト表示させるための上記探索情報を生成すること、を特徴とする探索情報提供システム。
【請求項６】
請求項１から４のいずれか一つに記載の探索情報提供システムにおいて、
上記経路探索情報記憶手段は、
移動手段に関する移動手段情報を含む上記経路探索結果を記憶し、
上記探索情報生成手段は、
上記地点情報の上記地点に到達する上記経路探索結果を同一の上記移動手段ごとに累計した回数を、識別可能に地図表示させるための上記探索情報を生成すること、を特徴とする探索情報提供システム。
【請求項７】
請求項１から４のいずれか一つに記載の探索情報提供システムにおいて、
上記経路探索情報記憶手段は、
移動手段に関する移動手段情報を含む上記経路探索結果を記憶し、
上記探索情報生成手段は、
上記地点情報の上記地点に到達する上記経路探索結果を同一の上記移動手段ごとに累計した回数に応じた、対応する地域名、住所群、駅名、路線名、および、駅区間のうち少なくとも一つを出力させるための上記探索情報を生成すること、を特徴とする探索情報提供システム。
【請求項８】
請求項１から７のいずれか一つに記載の探索情報提供システムにおいて、
上記経路探索情報記憶手段は、
上記経路探索条件が送信された送信時の天候に関する天候情報を対応付けて記憶し、
上記探索情報生成手段は、
上記天候情報に応じて上記経路探索結果を比較可能に出力させるための上記探索情報を生成すること、を特徴とする探索情報提供システム。
【請求項９】
請求項１から８のいずれか一つに記載の探索情報提供システムにおいて、
上記ユーザ端末装置は、
上記利用者の現在位置に関する現在位置情報を取得する位置取得部と、入力部と、を備え、
上記経路探索情報記憶手段は、
上記経路探索条件が、上記位置取得部により取得された上記現在位置情報に基づいて設定されたものか、上記入力部を介して設定されたものか、を識別する地点決定情報を、上記経路探索結果に対応付けて記憶し、
上記探索情報生成手段は、
上記地点決定情報に基づいて、上記抽出した上記経路探索結果の重み付けを行うことにより上記探索情報を生成すること、を特徴とする探索情報提供システム。
【請求項１０】
請求項１から９のいずれか一つに記載の探索情報提供システムにおいて、
上記分析要求入力手段は、
複数の上記地点に関する上記地点情報を含む上記分析要求を入力させ、
上記探索情報生成手段は、
上記分析要求に含まれる上記地点情報の上記地点ごとに、上記経路探索結果を抽出して上記探索情報を生成すること、を特徴とする探索情報提供システム。
【請求項１１】
ユーザ端末装置、および、出力部を少なくとも備えた閲覧端末装置に通信可能に接続された、制御部と記憶部とを少なくとも備えたサーバ装置であって、
上記サーバ装置の上記記憶部は、
交通網を規定するネットワークデータに基づいて算出した、上記ユーザ端末装置から送信された経路探索条件を満たす、目的地または経由地を含む各地点に関連付けた経路探索結果を記憶する経路探索情報記憶手段、
を備え、
上記サーバ装置の上記制御部は、
上記経路探索結果の上記目的地または上記経由地である上記地点に関する地点情報を含む分析要求を上記閲覧端末装置から受信する分析要求受信手段と、
上記分析要求受信手段により受信された上記分析要求に基づいて、上記地点情報の上記地点に到達する上記経路探索結果を上記経路探索情報記憶手段から抽出することにより、上記探索情報を生成する探索情報生成手段と、
上記探索情報生成手段により生成された上記探索情報を、上記閲覧端末装置に送信することにより、上記閲覧端末装置の上記出力部に出力させる探索情報送信手段と、
を備えたことを特徴とするサーバ装置。
【請求項１２】
入力部と出力部と制御部と記憶部とを少なくとも備えた探索情報提供装置であって、
上記探索情報提供装置の上記記憶部は、
交通網を規定するネットワークデータに基づいて算出した、経路探索条件を満たす、目的地または経由地を含む各地点に関連付けた経路探索結果を記憶する経路探索情報記憶手段、
を備え、
上記探索情報提供装置の上記制御部は、
上記入力部を介して、上記経路探索結果の上記目的地または上記経由地である上記地点に関する地点情報を含む分析要求を利用者に入力させる分析要求入力手段と、
上記分析要求入力手段により入力された上記分析要求に基づいて、上記地点情報の上記地点に到達する上記経路探索結果を上記経路探索情報記憶手段から抽出することにより、上記探索情報を生成する探索情報生成手段と、
上記探索情報生成手段により生成された上記探索情報を上記出力部を介して出力させる探索情報出力手段と、
を備えたことを特徴とする探索情報提供装置。
【請求項１３】
ユーザ端末装置、制御部と記憶部とを少なくとも備えたサーバ装置、および、入力部と出力部と制御部を備えた閲覧端末装置、を通信可能に接続した探索情報提供システムにおいて実行される探索情報提供方法であって、
上記サーバ装置の上記記憶部は、
交通網を規定するネットワークデータに基づいて算出した、上記ユーザ端末装置から送信された経路探索条件を満たす、目的地または経由地を含む各地点に関連付けた経路探索結果を記憶する経路探索情報記憶手段、
を備え、
上記閲覧端末装置の上記制御部において実行される、
上記入力部を介して、上記経路探索結果の上記目的地または上記経由地である上記地点に関する地点情報を含む分析要求を利用者に入力させる分析要求入力ステップと、
上記閲覧端末装置の上記制御部において実行される、
上記分析要求入力ステップにて入力された上記分析要求を上記サーバ装置に送信する分析要求送信ステップと、
上記サーバ装置の上記制御部において実行される、
上記閲覧端末装置から送信される上記分析要求を受信する分析要求受信ステップと、
上記サーバ装置の上記制御部において実行される、
上記分析要求受信ステップにて受信された上記分析要求に基づいて、上記地点情報の上記地点に到達する上記経路探索結果を上記経路探索情報記憶手段から抽出することにより、探索情報を生成する探索情報生成ステップと、
上記サーバ装置の上記制御部において実行される、
上記探索情報生成ステップにて生成された上記探索情報を、上記閲覧端末装置に送信する探索情報送信ステップと、
上記閲覧端末装置の上記制御部において実行される、
上記分析要求に基づいて生成された上記探索情報を上記サーバ装置から受信する探索情報受信ステップと、
上記閲覧端末装置の上記制御部において実行される、
上記探索情報受信ステップにて受信された上記探索情報を上記出力部を介して出力させる探索情報出力ステップと、
を含むことを特徴とする探索情報提供方法。
【請求項１４】
ユーザ端末装置、および、出力部を少なくとも備えた閲覧端末装置に通信可能に接続された、制御部と記憶部とを少なくとも備えたサーバ装置において実行される探索情報提供方法であって、
上記サーバ装置の上記記憶部は、
交通網を規定するネットワークデータに基づいて算出した、上記ユーザ端末装置から送信された経路探索条件を満たす、目的地または経由地を含む各地点に関連付けた経路探索結果を記憶する経路探索情報記憶手段、
を備え、
上記サーバ装置の上記制御部において実行される、
上記経路探索結果の上記目的地または上記経由地である上記地点に関する地点情報を含む分析要求を上記閲覧端末装置から受信する分析要求受信ステップと、
上記分析要求受信ステップにて受信された上記分析要求に基づいて、上記地点情報の上記地点に到達する上記経路探索結果を上記経路探索情報記憶手段から抽出することにより、上記探索情報を生成する探索情報生成ステップと、
上記探索情報生成ステップにて生成された上記探索情報を、上記閲覧端末装置に送信することにより、上記閲覧端末装置の上記出力部に出力させる探索情報送信ステップと、
を含むことを特徴とする探索情報提供方法。
【請求項１５】
入力部と出力部と制御部と記憶部とを少なくとも備えた探索情報提供装置において実行される探索情報提供方法であって、
上記探索情報提供装置の上記記憶部は、
交通網を規定するネットワークデータに基づいて算出した、経路探索条件を満たす、目的地または経由地を含む各地点に関連付けた経路探索結果を記憶する経路探索情報記憶手段、
を備え、
上記探索情報提供装置の上記制御部において実行される、
上記入力部を介して、上記経路探索結果の上記目的地または上記経由地である上記地点に関する地点情報を含む分析要求を利用者に入力させる分析要求入力ステップと、
上記分析要求入力ステップにて入力された上記分析要求に基づいて、上記地点情報の上記地点に到達する上記経路探索結果を上記経路探索情報記憶手段から抽出することにより、上記探索情報を生成する探索情報生成ステップと、
上記探索情報生成ステップにて生成された上記探索情報を上記出力部を介して出力させる探索情報出力ステップと、
を含むことを特徴とする探索情報提供方法。
【請求項１６】
ユーザ端末装置、および、出力部を少なくとも備えた閲覧端末装置に通信可能に接続された、制御部と記憶部とを少なくとも備えたサーバ装置に実行させるためのプログラムであって、
上記サーバ装置の上記記憶部は、
交通網を規定するネットワークデータに基づいて算出した、上記ユーザ端末装置から送信された経路探索条件を満たす、目的地または経由地を含む各地点に関連付けた経路探索結果を記憶する経路探索情報記憶手段、
を備え、
上記サーバ装置の上記制御部において、
上記経路探索結果の上記目的地または上記経由地である上記地点に関する地点情報を含む分析要求を上記閲覧端末装置から受信する分析要求受信ステップと、
上記分析要求受信ステップにて受信された上記分析要求に基づいて、上記地点情報の上記地点に到達する上記経路探索結果を上記経路探索情報記憶手段から抽出することにより、上記探索情報を生成する探索情報生成ステップと、
上記探索情報生成ステップにて生成された上記探索情報を、上記閲覧端末装置に送信することにより、上記閲覧端末装置の上記出力部に出力させる探索情報送信ステップと、
を実行させるためのプログラム。
【請求項１７】
入力部と出力部と制御部と記憶部とを少なくとも備えた探索情報提供装置に実行させるためのプログラムであって、
上記探索情報提供装置の上記記憶部は、
交通網を規定するネットワークデータに基づいて算出した、経路探索条件を満たす、目的地または経由地を含む各地点に関連付けた経路探索結果を記憶する経路探索情報記憶手段、
を備え、
上記探索情報提供装置の上記制御部に実行させる、
上記入力部を介して、上記経路探索結果の上記目的地または上記経由地である上記地点に関する地点情報を含む分析要求を利用者に入力させる分析要求入力ステップと、
上記分析要求入力ステップにて入力された上記分析要求に基づいて、上記地点情報の上記地点に到達する上記経路探索結果を上記経路探索情報記憶手段から抽出することにより、上記探索情報を生成する探索情報生成ステップと、
上記探索情報生成ステップにて生成された上記探索情報を上記出力部を介して出力させる探索情報出力ステップと、
を実行させるためのプログラム。